(57)【要約】【目的】  本発明は、靴の着脱時にバンドの動きに同期させて履き口を広げることが可能であると共に、靴の緊締時に砂除けが靴の適切な位置に配置されるようにした着脱容易な靴を提供する。【構成】  本発明の着脱容易な靴は、砂除けが、甲被の裏側に配置されて前甲部の開き口を塞ぐように設けられるとともに、バンドが、開き口に架け渡されて一端が甲被に固定され他端が甲被の表側と着脱自在になるように設けられている靴において、砂除けとバンドとが連結具２で連結され、固定端側の甲被と着脱自在端側の甲被とがゴム弾性部材３で連結されている。さらに、着脱自在端側の甲被とゴム弾性部材とを連結する位置が、砂除けと連結具とを連結する位置と、靴の前後方向においてほぼ一致している。【選択図】  図２
2005204848.tif 000002
【特許請求の範囲】
【請求項１】
砂除けが、甲被の裏側に配置されて前甲部の開き口を塞ぐように設けられるとともに、バンドが、開き口に架け渡されて一端が甲被に固定され他端が甲被の表側と着脱自在になるように設けられている靴において、砂除けとバンドとが連結具で連結され、バンドの固定端側の甲被とバンドの着脱自在端側の甲被とがゴム弾性部材で連結されてなり、靴の前後方向において、バンドの着脱自在端側の甲被とゴム弾性部材とを連結する位置が、砂除けと連結具とを連結する位置とほぼ一致していることを特徴とする着脱容易な靴。
【請求項２】
同一荷重で引っ張った時に、ゴム弾性部材は連結具より伸びが大きいことを特徴とする請求項１に記載の着脱容易な靴。
【請求項３】
ゴム弾性部材は、紐状又は帯状であり、一端がバンドの固定端側の甲被と爪先寄りの位置で連結され、他端がバンドの着脱自在端側の甲被と踵寄りの位置で連結されいることを特徴とする請求項１又は２に記載の着脱容易な靴。
【発明の詳細な説明】
【技術分野】
【０００１】
本発明は、幼児であっても容易に着脱することができる着脱容易な靴に関する。
【背景技術】
【０００２】
靴の着脱は、幼児や身体の不自由な人にとって苦労を強いられるものである。従来より靴の着脱を容易にするため、バンドの一方を甲被に固定し、バンドの他方に面ファスナーを設けて緊締を行えるようにした靴が知られている。さらに、図５に示すように、砂の侵入防止のために砂除けを有した靴において、砂除けの一方の縁部を甲被に固定し、他方の縁部は解放状態とし、バンドと砂除けとを連結具にて連結して、バンドの動きに同期させて履き口を十分に拡張する靴が知られている。
【特許文献１】実用新案第３０６２５２７号公報
【発明の開示】
【発明が解決しようとする課題】
【０００３】
しかしながら、特に幼児靴においては、必ずしも消費者は足のサイズに適した靴を購入するとは限らず、若干大きめなサイズの靴を購入することがある。足のサイズの合わない靴の砂除けの一方の縁部を甲被に固定してしまうと、着用時に砂除けが必ずしも靴の適切な位置に配置されず、砂除けの本来の機能を果たさない虞がある。また、着用時に砂除けが一方に片寄ってシワが入る等見映えが悪化することも危惧される。さらに、大人靴においても甲高の足や甲低の足に対応できる靴が望まれている。
【０００４】
本発明は、靴の着脱時にバンドの動きに同期させて履き口を広げることが可能であると共に、靴の緊締時に砂除けが靴の適切な位置に配置されるようにした着脱容易な靴を提供することを目的とする。
【課題を解決するための手段】
【０００５】
本発明の着脱容易な靴は、砂除けが、甲被の裏側に配置されて前甲部の開き口を塞ぐように設けられるとともに、バンドが、開き口に架け渡されて一端が甲被に固定され他端が甲被の表側と着脱自在になるように設けられている靴において、砂除けとバンドとが連結具で連結され、固定端側の甲被と着脱自在端側の甲被とがゴム弾性部材で連結されてなり、着脱自在端側の甲被とゴム弾性部材とを連結する位置が、砂除けと連結具とを連結する位置と、靴の前後方向においてほぼ一致している構成である。なお、固定端側とはバンドが固定される側のことを指し、着脱自在端側とはバンドが着脱自在にされる側を指す。
【０００６】
また、本発明の着脱容易な靴は、同一荷重で引っ張った時に、ゴム弾性部材は連結具より伸びが大きいことが好ましい。さらに、本発明の着脱容易な靴は、ゴム弾性部材が、紐状又は帯状であり、その一端が固定端側の甲被と爪先寄りの位置で連結され、他端が着脱自在端側の甲被と踵寄りの位置で連結されいることが好ましい。またさらに、バンドが、帯状であり、開き口を緊締している時にゴム弾性部材を隠すような広さにしてあることが好ましい。
【発明の効果】
【０００７】
本発明の着脱容易な靴は、砂除けとバンドとが連結具で連結されているために、一方の手でバンドの着脱自在端側を固定端側方向に引き、他方の手で着脱自在端側の甲被を着脱自在端側方向に引けば、砂除けが固定端側に引き寄せられて持ち上がるために、履き口が広がって足を靴に着脱することが容易になる。そして、固定端側の甲被と着脱自在端側の甲被とが開き口に架け渡されたゴム弾性部材で連結されているために、ゴム弾性部材によって砂除けが過度に持ち上がって甲被の表側まで飛び出すことを抑制し、足を入れてバンドを緊締する時（靴の緊締時）にスムースに砂除けを適切な位置に配置することができる。
【０００８】
また、ゴム弾性部材を連結具より伸びやすい素材とすることによって、上記の効果をより高めることができる。さらに、ゴム弾性部材を固定端側は爪先寄りで着脱自在端側は踵寄りで甲被に取り付けることによって、履き口をより広げやすくなるという効果を奏する。すなわち、ゴム弾性部材を靴の幅方向と並行に取り付けたのでは、着脱自在端側の甲被を着脱自在端方向に引いて履き口を広げる際に、ゴム弾性部材で連結された固定端側の甲被が同一方向に引っ張られて、履き口が広がりづらくなることもあるが、ゴム弾性部材の固定端側の甲被との連結位置を爪先寄りとすることで、固定端側の甲被を引っ張られないようにすることができるため確実に履き口を広げられる。
【発明を実施するための最良の形態】
【０００９】
以下、本発明を実施例を用いて具体的に説明する。本発明の着脱容易な靴１は、図１に示すように、バンドで前甲部を緊締するタイプの靴である。本実施例においては、甲被７は、足の第一趾の付け根付近から踵を経由して第五趾の付け根付近までを足を包み込むような形態で靴底と一体にされて形成されている。このように甲被７を形成することにより、前甲部に開き口８が形成される。なお、開き口を挟んで、バンドが固定される側の甲被７を甲被７１とし、バンドが着脱自在にされる側の甲被７を甲被７２として、以下本発明を説明する。
【００１０】
砂除け４は、図１に示すように、靴の爪先部にその前部を縫着等で取り付けられ、その後部は甲被７の裏側に置かれて開き口８を塞ぐように設けられている。また、砂除け４は、靴を緊締した状態では、その幅方向の縁部が甲被７に重なり合うような大きさにされ、縁部は甲被７の裏面に重なって接するようにされているが縫着等で固定されていない。
【００１１】
砂除け４はクッション材を布帛で被覆して形成すると良い。砂除けは連結具２で引っ張られて型くずれしやすいのであるが、クッション材を用いることで、クッション材の有する形状回復性により型くずれを有効に防止することができる。クッション材は軟質ポリウレタンフォームが最適であり、厚さ２〜５ｍｍ、硬さ５０〜２００Ｎ（ＪＩＳ  Ｋ６４００）とする。
【００１２】
バンド５は、図１に示すように、開き口８に架け渡されて、一端を甲被７１に縫着等で固定され、他端を甲被７２の表側に着脱自在にされている。バンドの一端の甲被７１への固定は、必ずしも別体のバンドを縫着等で甲被に固定して行う必要はなく、甲被７１より突片を延出して、この突片をバンドとして利用するものであっても良い。また、バンド５は、緊締の繰り返しに耐えうるような強度を有している。例えば樹脂シートの表面に装飾性の布帛を縫着し、裏面に面ファスナー６を縫着すれば必要な強度を持たせることが可能である。
【００１３】
連結具２は、図２に示すように、一端がバンド５にバンドの裏側で靴の着脱自在端側寄りの位置で連結され、他端が砂除け４に砂除けの表側で靴の着脱自在端側寄りの位置で連結されている。また、両連結位置は、緊締時においてほぼ一致するような位置とされている。この際の連結具の両連結間の長さは足長サイズの７〜２５％である。連結具２の一端を砂除け４へ連結する位置は、靴の前後方向において砂除けの踵側端より足長サイズの１５〜３０％離れてる。以上のように連結具２でバンド５と砂除け４とを連結することにで、バンドの動きに同期して砂除けが固定端側に良好に引き寄せられて持ち上がる。また、連結具は５００ｇの荷重をかけても伸びが５％未満であるような材料を用いると良い。例えば、織布、編布などからなる紐状体、帯状体、あるいは織紐、編紐が用いられる。
【００１４】
連結具の一端のバンドへの連結は、例えば図３に示すように、面ファスナー６に連結具２を通しうるスリット９を形成し、このスリットに連結具を通し、連結具の端部をバンドの固定端側に縫着することで、見映え良く連結させることができる。なお、この場合、本発明では、連結具はスリット９の位置で連結されているものとする。連結具の他端の砂除けへの連結は、例えば連結具の他端を砂除けの表面に重ねて両者を縫着すれば良い。
【００１５】
ゴム弾性部材３は、図２に示すように、一端が甲被７１と、他端が甲被７２と連結されている。さらに、ゴム弾性部材の一端を甲被７１へ連結する位置は、靴の前後方向において、連結具の一端を砂除けへ連結する位置とほぼ一致するようにされている。
【００１６】
ここで、靴の前後方向においてほぼ一致する位置とは、前後方向において一致する位置より、靴の足長サイズに対して爪先方向で６％以内で、踵方向で１０％以内の範囲を言う。６％を超える爪先方向で連結されると、砂除けを適切な位置に戻せない傾向にあり、１０％を超える踵方向で連結されると履き口が広がらない傾向にある。より好ましい連結位置は、前後方向に一致する位置より爪先方向で５％以内で、踵方向で６％以内の範囲である。
【００１７】
このように取り付けられたゴム弾性部材３は、開き口８に架け渡されているために、履き口を広げた時に、そのゴム特性によって砂除け４が過度に飛び出すことを抑制し、靴に足を入れて緊締する時（靴の緊締時）にスムースに砂除けを適切な位置に戻す機能を有する。ゴム弾性部材３の好ましい取り付けられ方は、一端が甲被７１と爪先寄りの位置で連結され、他端が甲被７２と踵寄りの位置で連結されることで開き口８に斜めに架け渡される態様である。その斜め度合は、靴の前後方向の軸線に直交する線との角度が緊締時において１５〜６０°である。その際、ゴム弾性部材の一端を甲被７１へ連結する位置は、連結具２の一端を砂除け４へ連結する位置より前後方向において爪先寄りとされる。ゴム弾性部材は、図１に示すような緊締時の状態において伸縮していないフリーの状態となるように甲被７１、７２に取り付けることが良く、５００ｇの荷重をかけたときに伸びが１０〜１００％であるような材料を用いると良い。例えば、ゴム材や捲縮糸を用いた紐状体、帯状体が用いられる。
【００１８】
ゴム弾性部材の一端の甲被７２への連結は、例えば図４に示すように、面ファスナー６１を甲被７２に縫着で取り付ける際に、両者の間にゴム弾性部材の一端を挟んでおくことによって、その際の縫着で見映え良く連結させることができる。ゴム弾性部材の他端の甲被７１への連結は、例えばゴム弾性部材の他端を甲被７１の表面又は裏面に縫着すれば良い。
【図面の簡単な説明】
【００１９】
【図１】本発明の着脱容易な靴の緊締時を示す説明図。
【図２】本発明の着脱容易な靴の着脱時の履き口を広げた様子を示す説明図。
【図３】バンドへの連結具の取り付けの一例を断面で示した説明図。
【図４】甲被へのゴム弾性部材の取り付けの一例を断面で示した説明図。
【図５】先行公知技術の説明図。
【符号の説明】
【００２０】
１    着脱容易な靴
２    連結具
３    ゴム弾性部材
４    砂除け
５    バンド
６    面ファスナー
７    甲被
８    開き口
９    スリット
６１  面ファスナー
７１  固定端側の甲被
７２  着脱自在端側の甲被
【図１】
2005204848.tif 000003
【図２】
2005204848.tif 000004
【図３】
2005204848.tif 000005
【図４】
2005204848.tif 000006
【図５】
2005204848.tif 000007